(57)【特許請求の範囲】
【請求項１】
車体フレームにエンジンを搭載し、エンジンを覆うボンネットの後方にステアリングホイル、及び主変速レバーを備えた乗用型田植機等において、伝動軸の一方側にはバネにより付勢されるクラッチカムと、他方側には、電磁スイッチが接続され、かつアクセルレバーに関連するクラッチカムとを備え、前記主変速レバーを移動走行にシフトしたときのみ、前記主変速レバーの押圧により作動するスイッチに連動して前記電磁スイッチが作動し、前記アクセルレバーに関連するクラッチカムと前記バネにより付勢されるクラッチカムとを噛み合いの状態にさせ、前記伝動軸に嵌着されている歯車のギヤ比を高速回転から低速回転に切換えることで、エンジン回転数は高速回転から低速回転に切換え、ステアリング切れ角とエンジン回転数とを連動させたことを特徴とする乗用型田植機等のステアリング装置。
【請求項２】
ステアリング切れ角とエンジン回転数とを連動させたとき、前記主変速レバーが前記移動走行にシフトされると、前記エンジン回転数が高速回転から低速回転に切換り、さらに前記ステアリング切れ角が大きくなると、より低速回転にのみ変化することを特徴とする請求項１に記載の乗用型田植機等のステアリング装置。
【発明の詳細な説明】
【０００１】
【発明の属する技術分野】
本発明は、乗用型田植機等の分野に属し、詳しくは、乗用型田植機等のステアリング切れ角とエンジン回転数の連動可能なステアリング装置に関する。
【０００２】
【従来の技術】
従来の乗用型田植機等においては、ステアリング切れ角とエンジン回転数とは相互に関連がなく、それぞれが独立したステアリング操作とアクセルレバーの操作であった。
【０００３】
【発明が解決しようとする課題】
上記のような従来の乗用型田植機等においては、ステアリング切れ角とエンジン回転数とは相互の関連がなく、乗用型田植機等の移動走行時、急にステアリングを切ると、地面に凹凸がある所では機体がバランスを失う恐れがあるため、アクセルレバーを操作しエンジンを低速にする必要がある。
【０００４】
【課題を解決するための手段】
しかるに、本発明は、乗用型田植機等において、機体の安全、作業者の心理的負担を減らすことを目的とし、その解決手段として、主変速レバーが移動走行にシフトしたときのみ、電磁スイッチがＯＮになり、溝付きクラッチカムが作動し、エンジンの回転数が下がるように構成にして、しかも、高速回転から低速回転にのみ変化するように構成した。これによれば、乗用型田植機等の移動走行時の機体のバランス維持が保たれ、安全性も十分に図れる。
【０００５】
【発明の実施の形態】
以下、本発明の実施の形態を図面に基づいて詳説する。
図１は乗用型田植機の斜視図、図２は同側面図、図３は同平面図、同４図はステアリングギヤボックスの断面図、図５は主変速レバーとガイド板を示す。
図中（１）は作業者が搭乗する乗用型田植機であり、エンジン（２）を車体フレーム（３）前部上方に搭載させ、車体フレーム（３）は前走行輪（４）、後走行輪（５）を備えている。
そして前記エンジン等を覆うボンネット（６）の後部に操向ハンドル、すなわち、ステアリングホイール（７）を取り付けると共に、作業者が搭乗する車体カバー（８）上部に運転席（９）が取り付けられている。運転席（９）の左側には主変速レバー（１０）、右側にはアクセルレバー（１１）が設けられている。
スイッチ（ＳＷ）はガイド板（Ｇ）内側に設けられ、主変速レバー（１０）が移動速度にシフトされたとき、該レバー（１０）の押圧により作動するスイッチである。
【０００６】
また、前記ステアリングホイール（７）はステアリングロッド（１２）に取り付けられ、該ステアリングロッド（１２）は、ステアリングギヤボックス（１３）の中央ギヤ（１４）に取り付けられ、さらに中央ギヤ（１４）の出力軸（１５）には、ステアリングの切れ角規制用のステアリングヨーク（１６）が固着され、該ヨーク（１６）の左右にタイロッド（１７）（１７）が接続され、該左右タイロッド（１７）（１７）を介して前走行輪（４）（４）が操向される。
【０００７】
さらに、ステアリングヨークに関する詳細な構成は図６に示すごとく、ステアリングギヤボックス（１３）の中央ギヤ（１４）の出力軸（１５）に取り付けられたステアリングヨーク（１６）は扇形状からなり、該ステアリングヨーク（１６）にはロッド（１６Ａ）が垂直に接合され、その下端はボ−ルジョイント（１６Ｂ）を有し、後記のプレート（１９Ａ）に接合されている。
また、伝動軸（１８）には溝付きクラッチカム（Ｋ）が設けられ、前記伝動軸（１８）の一方の側にはステアリング側溝付きクラッチカム（１９）、同じく他方の側にはアクセルレバー（１１）に関連するアクセルレバー側溝付きクラッチカム（２０）が各々配置され、前者、すなわちステアリング側溝付きクラッチカム（１９）はバネ（２１）により付勢され、後者すなわちアクセルレバー側溝付きクラッチカム（２０）には電磁スイッチ（２４）が接続されており、該電磁スイッチ（２４）は主変速レバー（１０）が移動走行にシフトしたときに作動するスイッチ（ＳＷ）に連動している。なお、溝付きクラッチカム（Ｋ）はバネ力で常に一定の位置に戻る機能を有するカムであり、その断面図はステアリング側はＡＡ、アクセル側はＢＢの形状を有している。
前記ステアリング側溝付きクラッチカム（１９）に、該カムの軸心に対し略９０度直交した位置にプレート（１９Ａ）が、アクセルレバー側溝付きクラッチカム（２０）上方にはプレート（２０Ａ）が設けられ、ステアリング側溝付きプレート（１９Ａ）は前記ステアリングヨーク（１６）の下面に設けられたロッド（１６Ａ）下端のボールジョイント（１６Ｂ）で接合され、アクセルレバー側プレート（２０Ａ）はワイヤ（２３）を介し長穴（２２Ａ）を設けた規制カム（２２）に接続されている。
【０００８】
以上のような構成を有する乗用型田植機において、ステアリング側溝付きクラッチカム（１９）はバネ（２１）により常時付勢され、プレート（１９）はステアリングヨーク（１６）に設けられたロッド（１６Ａ）先端のボールジョイント（１６Ｂ）に接合されている状態で、主変速レバー（１０）が移動速度にシフトされると、該レバー（１０）がスイッチ（ＳＷ）を押圧してＯＮにし、スイッチ（ＳＷ）に連動する電磁スイッチ（２４）がＯＮに作動し、アクセルレバー側溝付きクラッチカム（２０）がステアリング側溝付きクラッチカム（１９）にスライドし、両方の溝付きカム（Ｋ）が噛み合いの状態になり、バネ（２１）の付勢力に抗してカム（Ｋ）を図６において左側に移動させ、伝動軸（１８）に嵌着されている歯車（図示せず）のギヤ比を高速回転から低速回転に切変わる。
この時、アクセルレバー側溝付きクラッチ（２０）はステアリング側溝付きクラッチ（１９）に傾きながら移動するので、アクセルレバー（１１）に接続されているワイヤ（２３）を牽引し、該レバー（１１）を半ロックの状態に維持する。
【０００９】
このようにエンジンの回転速度が高速回転から低速回転に切変わった状態で、ステアリングホイールの回転操作を図７（イ）、（ロ）に基づいて説明する。
ステアリングホイール（７）を反時計方向に回転操作すると図７（イ）に示すように、ステアリングヨーク（１６）に接合されているロッド（１６Ａ）はプレート（１９Ａ）と共に正面視右斜め方向に移動し、同じく、前記ステアリングホイール（７）を時計方向に回転すると図７（ロ）に示すようにロッド（１６Ａ）は正面視左斜め方向に移動する。さらに、ステアリングの回転操作すなわちステアリングの切れ角が大きくなると、溝付きクラッチカム（Ｋ）の機能により、より以上に低速回転に作動するので、急にステアリングを操作しても、従来のように機体がバランスを失う恐れがない。
次いで、移動走行から後退、あるいは植付け作業に移りたいときには、半ロックの状態にあるアクセルレバー（１１）を操作することによりワイヤ（２３）を介してアクセルレバー側溝クラッチカム（２０）を電磁スイッチ（２４）側に牽引移動させて、電磁スイッチ（２４）をＯＦＦにして、溝付きクラッチ（Ｋ）の噛合いを解き、バネ（２１）の付勢力により初期状態に戻り、エンジンの回転数を低速回転から高速回転に切換えることができる。
【００１０】
上記の構成によれば、主変速レバーが移動速度にシフトしたときに限って電磁スイッチが作動し、クラッチカムが当接し、エンジン回転数を高速回転から低速回転に切り替え、ステアリング切れ角とエンジン回転数が連動され、低速回転状態において、アクセルレバーが高速に切変わると、ワイヤに接続されたカムが作動し、電磁スイッチがＯＦＦになり、溝付きクラッチは初期状態に戻る。
このように、主変速レバーが移動速度にシフトされると、エンジン回転が低速回転になるので、急ハンドルによるトラブルがなくなり、安全性が十分に保たれる。
【００１２】
【発明の効果】
以上、発明の実施の形態に説明したことから明らかなように、従来は、ステアリングきれ角とエンジン回転数とはそれぞれ独立の操作であったため、移動走行時に急にステアリングホイールを切ると地面の凹凸のある所ではバランスを失う恐れがあったが、本発明のように、主変速レバーを移動速度にシフトしたときに限って、電磁スイッチが作動し、クラッチカムが当接し、エンジンの回転数は、高速回転から低速回転に切変わり、しかもステアリングホイールの切れ角と連動するので、急にステアリングを操作しなければならなくなった時でも自動的にエンジン回転数が下がるので、バランスを失うことがなく、機体の安全が確保でき、作業者が安心して操作が出来、しかも高速回転から低速回転への移動であるためステアリングを戻しても低速回転にあるのでスムースに操作ができ安全である。
【図面の簡単な説明】
【図１】乗用型田植機の斜視図
【図２】乗用型田植機の側面図
【図３】乗用型田植機の平面図
【図４】ステアリングギヤボックスの断面図
【図５】主変速レバーとガイド図
【図６】ステアリングヨークと溝付きクラッチカムの関連図
【図７】（イ）ステアリングホイールが時計方向に回転した状態図
（ロ）ステアリングホイールが反時計方向に回転した状態図
【符号の説明】
４      前輪
５      後輪
７      ステアリングホイール
１０    主変速レバー
１１    アクセルレバー
１１Ａ  突起
１１Ｂ  ワイヤ
１１Ｄ  ロッド
１２    ステアリングロッド
１３    ステアリングギヤボックス
１４    中央ギヤ
１５    出力軸
１６    ステアリングヨーク
１６Ａ  ロッド
１６Ｂ  ボールジョイント
１６Ｃ  長穴
１８    伝動軸
１９    ステアリング側溝付きクラッチカム
１９Ａ  ステアリング側プレート
２０    アクセルレバー側溝付きクラッチカム
２０Ａ  アクセルレバー側プレート
２１    バネ
２２    規制カム
２３    ワイヤ
２４    電磁スイッチ
２５    追従カム
Ｋ      溝付きクラッチカム
ＳＷ    スイッチ
Ｇ      ガイドプレート
【図１】
0003811547.tif 000002
【図２】
0003811547.tif 000003
【図３】
0003811547.tif 000004
【図４】
0003811547.tif 000005
【図５】
0003811547.tif 000006
【図６】
0003811547.tif 000007
【図７】
0003811547.tif 000008